(57)【要約】  縁部（１４）が設けられた蓋（１１）と、少なくとも１本のボトル（２１）を保持するのに適した収納区画（２０）を画定するのに適した壁（１６）が設けられた保持枠体（１２）とを備えた、多機能ボトルホルダーケースを提供する。前記壁（１６）および／または縁部（１４）の少なくとも１つには、切り離し容易な接合部（２８）によって、対応する壁（１６）および／または縁部（１４）に結合される少なくとも１つの脱着部（２５）が設けられる。【選択図】図１
2014530731.tif 000002
【特許請求の範囲】
【請求項１】
ボトル（２１）を保存し輸送するのに適しており、
閉鎖部材（１１）と保持枠体（１２）とを備え、
前記閉鎖部材（１１）は、平坦部（１３）から成り、かつ縁部（１４）を有し、
前記保持枠体（１２）は、底（１５）および１または複数の壁（１６）から成り、
前記底（１５）および前記壁（１６）は、収納区画（２０）を画定し、
選択的に閉鎖可能な、
多機能ボトルホルダーケース（１０）であって、
前記ケース（１０）の前記壁（１６）および／または前記縁部（１４）の少なくとも１つに、前記ケース（１０）に保持されるボトル（２１）の断面の最大部に少なくとも等しい大きさを有する少なくとも１つの脱着部（２５）が設けられ、
前記脱着部（２５）は、切り離し容易な接合部（２８）によって対応する壁または縁部に結合される
ことを特徴とする多機能ボトルホルダーケース。
【請求項２】
前記脱着部（２５）は、製造段階において取り外され、ケースの内壁または外壁に一時的に取り付けられる被覆部材によって少なくとも暫定的に被覆されることを特徴とする、請求項１に記載の多機能ボトルホルダーケース。
【請求項３】
前記脱着部（２５）は、少なくとも２本のボトル（２１）の挿入に対応する形状および大きさを有することを特徴とする、請求項１または２に記載の多機能ボトルホルダーケース。
【請求項４】
前記脱着部（２５）は、人の力によって対応する壁から取外し可能であることを特徴とする、請求項１〜３のいずれか１項に記載の多機能ボトルホルダーケース。
【請求項５】
使用中に前記ケース（１０）の前記収納区画（２０）に配置される複数の仕切り板（２２）を備え、前記仕切り板（２２）は、ケース（１０）が陳列装置として使用されるときに前記脱着部（２５）を取り外すことによって得られる開口部（３０）と整列する開口部（２３）を含むことを特徴とする、請求項１〜４のいずれか１項に記載の多機能ボトルホルダーケース。
【請求項６】
前記保持枠体（１２）、および／または閉鎖部材（１１）、および／または前記壁（１６）の少なくとも一部、の上に、同一タイプの他のケースを互いに選択的に取り付けることを可能にする取付け手段が存在することを特徴とする、請求項１〜５のいずれか１項に記載の多機能ボトルホルダーケース。
【請求項７】
前記取付け手段は、ねじ、ピン、またはその他の適切な取付け部品を受容することのできる穴（３２）を含むことを特徴とする、請求項１〜６のいずれか１項に記載の多機能ボトルホルダーケース。
【発明の詳細な説明】
【技術分野】
【０００１】
本発明は、多機能ボトルホルダーケースに関し、特に、ケース自体の内部に確実に収納された１本以上のボトルを保存し、保護し、輸送するために使用することができ、また、例えば家庭環境または公的施設で、ボトルが外側から少なくとも部分的に見えるようにボトルを陳列するためにも使用することのできるケースに関する。
【０００２】
本発明に係るボトルホルダーケースは、その構造および形態、ならびにそれが有する特徴によって、様々な形状および大きさの構成となるよう、複数のケースが連結されたモジュール式陳列ケースを形成することをも可能にし、一種の個人用セラーを作り出すことができる。
【背景技術】
【０００３】
木材または木材と同様な材料から作られた一般的なケースだけではなく、他の材料、例えばガラス、プラスチック、金属、アルミニウム等の適切な合金から作られたケースも知られており、それらのケースは様々な種類のボトルを保護し輸送するために使用され、特に商業取引先への配送のためにまたは進物用包装容器として使用される。
【０００４】
そのようなケースの大きさは、保持すべきボトルの大きさおよび数によって様々である。
【０００５】
ボトル用に従来使用されているケースの１つの欠点は、ひとたび輸送機能を果たし、最終目的地に届くと、ケースは排除すべき廃棄物となり、通常は再利用されないことである。
【０００６】
さらに、届け先が家庭環境であるか公的施設であるかに関係なく、ボトルを保存し、同時にボトルを陳列するための適切な陳列ケースの使用が往々にして必要とされ、こうして所望の構成を有する一種のセラーが作り出される。
【０００７】
特許文献１には、内部のものを利用するために完全に取外し可能な壁を備えるボトルホルダーが開示されている。また、特許文献２および特許文献３にも、側壁に脱着部を有する、ボトルまたは缶用の容器が開示されている。そのような解決策では、壁が取外し可能であるという事実は、ケースが陳列ケースとして機能することとまったく関連性が無い。
【先行技術文献】
【特許文献】
【０００８】
【特許文献１】独国実用新案出願公開第７１１４６６３号
【特許文献２】米国特許第５，２８５，９００号
【特許文献３】米国特許第６，１０９，０５９号
【発明の概要】
【発明が解決しようとする課題】
【０００９】
したがって、本発明の１つの目的は、現状技術の欠点を克服して、例えば木製であるだけでなく、その主たる機能である輸送を終えた後、陳列モジュールに変形され、その中にボトルを陳列することのできる多機能ボトルホルダーケースを作製することである。
【００１０】
別の目的は、任意の形状のボトルに対応可能であり、かつ同一タイプの他のモジュールと隣接して配置され、積み重ねられて、さまざまな形状および大きさの安定かつ頑健なモジュール式陳列ケースを作り出すことのできる陳列ケースを作製することである。
【００１１】
別の目的は、製造サイクルおよび製造装置に最小限の修正を加えるだけで容易に製造できるという経済的な解決策により、多機能であるという前述の特徴を得ることである。
【００１２】
別の目的は、廃棄物の量を低減し、環境にとってかなりの生態学的利点を得ることである。
【課題を解決するための手段】
【００１３】
出願人は、現状技術の欠点を克服し、これらならびに他の目的および利点を得るために、本発明を考案し、試験し、具現化した。
【００１４】
本発明は独立請求項に明記されそこで特徴付けられる一方、従属請求項は、発明の他の特徴または主たる発明概念の変形を記載する。
【００１５】
上記目的に従って、本発明に係るケースは、１本以上のボトルを完全に内部に収納した状態で保存し輸送するのに適しており、さらに、保持される様々な本数のボトルに応じて、任意の形状または大きさに、任意の適切な材料から作製することができる。
【００１６】
以下の説明では正方形または長方形の底を備える平行六面体の形状を主に取り扱う。ただし、稀であるかもしれないが、ケースが異なる形状、例えば円筒形、楕円形、ひし形の底付き、六角形等を有することも除外されるものではない。
【００１７】
本発明の一実施形態では、ケースは従来の形状および構造を有し、かつ例えば蓋などの閉鎖部材と、保持枠体とを備え、閉鎖部材は枠体の片側にヒンジ結合することができ、かつ枠体の反対側と協動する１つ以上の閉鎖部材を有することができる。
【００１８】
閉鎖部材は、上蓋または横閉じ部のいずれかであり、あるいは下から取外し可能にすることもできる。また、閉鎖部材は、平坦部から成り、かつ保持枠体に向かって延びる幾分目立った縁部を有する。縁部は非常に薄くすることができ、単純な被覆板から成る場合にはケースの被覆部材の厚さだけから構成されてもよい。
【００１９】
保持枠体は、底と、ケースの形状に応じて１又は複数の壁（側壁）とから構成される。
【００２０】
以下では、平行六面体形の好適な形状に基づいて、壁について説明するが、壁を１つだけ備える円筒形の形状も本願の保護の範囲に含まれることを理解されたい。
【００２１】
底および壁は、被覆部材により選択的に閉鎖可能な収納区画を画定する。その内部に少なくとも１本のボトルを、有利には２本以上を、少なくとも１つの仕切り板によって、互いに離された状態で保存することができ、これにより、ケースが輸送段階で使用されるときに、ボトルが相互にぶつかるのを防止することができる。
【００２２】
以下の説明から分かるように、本発明の特徴的な特性によれば、仕切り板が存在する場合、それは２つの機能を有する。すなわち、輸送中に発揮される分離機能と、陳列ケースとしての使用中に発揮される保持および支持機能である。
【００２３】
本発明の１つの特徴によると、ケースの壁の少なくとも１つには、ボトルがケースから取り出された後で、１または複数のボトルを挿入するための開口部を作り出すのに適した、少なくとも１つの脱着部が設けられる。
【００２４】
本発明の一実施形態では、脱着部は、容易に切断可能な結合部により、対応する壁に接合されている。
【００２５】
脱着部は、ケースが最終目的地に届いた後、壁自体に開口部を作り出すために、最終使用者が例えば単に力を加えるだけで取り外すことができる。
【００２６】
本発明の別の実施形態では、脱着部は製造段階において直接取り外され、ケースが輸送のために使用されるときには、ケースの内側または外側に取り付けられ、ケースの対応する壁に一時的に固定された、取外し可能な被覆部材によって被覆される。
【００２７】
脱着部、およびそこから形成される開口部は、少なくとも、ケースに保持されたボトルの断面より大きい寸法であるため、開口部は、ボトルを部分的にケースに挿入するために用いることができ、こうして陳列ケースとして機能させることができる。
【００２８】
本発明の可能かつ有利な実施形態では、脱着部は、少なくとも２本のボトルの挿入に対応する形状および大きさを有する。
【００２９】
ケースの内部に備えた仕切り板もまた、陳列ケースとして使用する際には、脱着部を取り外すことによって出来た開口部に整合した開口部を備える。このようにして、１または複数のボトルを、仕切り板の開口部を通してケースの全長にわたって挿入することができ、こうしてケースの陳列状態におけるボトルを収納し支持する機能が果たされる。
【００３０】
本発明のさらなる特徴によると、枠体、および／または閉鎖部材、および／または壁の少なくとも一部分、の上に、同一タイプの他のケースへの互いに選択的な取付けを可能にする取付け手段が存在し、これによって、所望の形状および大きさを有する一種のセラーを創造でき、各ケースが陳列モジュールとしての機能を発揮できる。
【００３１】
取付け手段によって、ケースを互いに横付けし、積み重ね、結合することができ、こうして安定した頑健なモジュール式陳列ケースが達成される。
【００３２】
本発明のこれらおよび他の特徴は、添付する図を参照して非制限的実施例として掲げる好適な実施形態についての以下の説明から明らかになるであろう。
【図面の簡単な説明】
【００３３】
【図１】本発明に係るボトルホルダーケースの第１の好適な実施形態の三次元正面図である。
【図２】脱着部が取り外された状態の図１の三次元背面図である。
【図３】大きさが図１の２倍の本発明に係るボトルホルダーケースの第２の好適な実施形態の三次元正面図である。
【図４】脱着部が依然としてケースに適用されたままの図３の三次元背面図である。
【図５】図１のボトルホルダーケースの背面図である。
【図６】図５の変形例を示す。
【図７】図５の変形例を示す。
【図８】１群のケースの三次元図である。
【発明を実施するための形態】
【００３４】
図１および２を参照すると、本発明に係るケース１０は、閉鎖部材（図示するケースでは蓋１１から成る）と、保持枠体１２と、を備える。図示する実施例では、蓋１１は、平坦部１３と、保持枠体１２に向かって延びる４つの縁部１４（前縁１４ａ、後縁１４ｂ、および側縁１４ｃ）とから成る。
【００３５】
保持枠体１２は、底１５と、壁１６（前壁１６ａ、後壁１６ｂ、および側壁１６ｃ）とから成る。壁１６は、底１５と共に、収納区画２０を画定する。収納区画２０は、この場合、３本のボトル２１が互いに分離されて配置され、図示する実施例では、２つの仕切り板２２によって分離される。仕切り板は、輸送段階中にボトル２１を分離した状態で維持し、ボトル２１が相互にぶつかって破損するのを防止する機能を有する（分離機能）。仕切り板２２は輸送状態で後壁１６ｂと略平行に配置され、収納区画２０の側壁１６ｃに作製された適切な支持部に仕切り板を安定に固定することを可能にするために、後壁と略等しい長さを有する。
【００３６】
図示する特定のケースでは、２つの部分（ケース１０の後壁１６ｂ及び後縁１４ｂ）に作製された脱着部２５は、容易に切断可能な接合部２８によって、それぞれ対応する壁および縁に取り付けられる。それにより、ケース１０がその目的地に到着した後、最終使用者が所定の圧力を加えたときに、脱着部を取り外すことが可能になる。
【００３７】
脱着部２５の取外しによって画定する開口部３０は、ボトル２１の最大直径より少なくともわずかに大きいものであり、１本以上のボトル２１をケースの片側から挿入することができるよう、例えば図５、６、７に示すタイプの様々な形状を有することができる。
【００３８】
図５の実施形態では、脱着部２５は中間狭隘部を有する楕円形状を有する。しかし、略楕円形の脱着部２５（図６）、または例えば円形の幾つかの脱着部２５（図７）を設けることが可能であり、以下で説明する通り、それらの各々を通してボトル２１を挿入することができる。
【００３９】
仕切り板２２の各々に略円形の３つの開口部２３が設けられ、それらの開口部を介してボトル２１を挿入することができ、陳列段階においてボトルを収納し支持することができる（保持機能）。
【００４０】
蓋１１および保持枠体１２は、同一タイプの他のケース１０に相互に取り付けるための取付け手段を有する。
【００４１】
本発明の非制限的解決策では、取付け手段は、ねじ、ピン、またはその他の補助部品の挿入を可能にする、ケース１０、１１０のそれぞれの合わせ位置に配置された穴３２から成り、それにより複数のケース１０、１１０を積み重ね、互いに結合して、例えば図８に示すように様々な形状および大きさの陳列ケース４０または小型セラーとして機能するモジュール構成とすることができる。
【００４２】
図３および４に示す変形例では、参照番号１１０で示されるケースは、６本のボトル２１を保持し陳列するのに適する。ケース１１０の後壁１６ｂは脱着部２５を有し、２つの仕切り板２２に６つの開口部２３が設けられる。
【００４３】
ケース１０は、仕切り板２２によって相互に分離された収納区画２０にボトル２１が配置される第１状態（輸送段階）を取ることができる。
【００４４】
輸送段階が終了すると、ケース１０は、ボトル２１が収納区画２０から取り出され、１または複数の脱着部２５が取り外される第２状態（陳列段階）を取ることができる。
【００４５】
その後、ボトル２１は、仕切り板２２を用いて収納し支持するために、最初に脱着部２５の取外しによって画定された開口部３０を通して、そして最終的に開口部２３を通して、収納区画２０内に再挿入される。
【００４６】
本発明の分野および範囲から逸脱することなく、本明細書で上述したケース１０、１１０に対し、部品の変形および／または追加を施すことができることは明らかである。
【００４７】
例えば、図示されない解決策では、脱着部２５はケースの製造段階ですでに取り外され、ボトルを輸送し保護するためにケースが使用されるときには、段ボール、プラスチック、木材、またはその他の適切な素材のシートなどの被覆部材によって被覆される。被覆部材は、対応する壁に暫定的に結合され、前述の陳列ケースとして機能させるために容易に取外し可能である。
【図１】
2014530731.tif 000003
【図２】
2014530731.tif 000004
【図３】
2014530731.tif 000005
【図４】
2014530731.tif 000006
【図５】
2014530731.tif 000007
【図６】
2014530731.tif 000008
【図７】
2014530731.tif 000009
【図８】
2014530731.tif 000010
【国際調査報告】
2014530731.tif 000011
2014530731.tif 000012